(57)【特許請求の範囲】
【請求項１】
自閉機能を備えた引き戸（１）若しくは開口枠（４）に取り付けられる係合部材（３）と、この係合部材（３）に対向して開口枠（４）若しくは引き戸（１）に取り付けられる捕捉機構（５）とからなる閉止開始時間調整装置において、係合部材（３）を、引き戸（１）の走行方向に直交する押圧材（３１）とし、捕捉機構（５）を、係合部材（３）の押圧材（３１）が係合される溝（６）を有し、引き戸（１）の走行方向に直交する軸（７）によって回転する主歯車（９）と、主歯車（９）の回転が伝達されて回転し、引き戸（１）の閉止方向への移動力を制御するオイルダンパー（１１）とを設けた構造とした引き戸の閉止開始時間調整装置。
【請求項２】
捕捉機構（５）が、係合部材（３）の押圧材（３１）が係合される溝（６）を有し、引き戸（１）の走行方向に直交する軸（７）によって回転するキャッチャー（８）と、キャッチャー（８）に固定され、キャッチャー（８）と同一軸（７）によって回転する主歯車（９）と、主歯車（９）の回転が伝達されて回転し、引き戸（１）の閉止方向への移動力を制御するオイルダンパー（１１）とを設けた構造とした請求項１記載の引き戸の閉止開始時間調整装置。
【発明の詳細な説明】
【０００１】
【産業上の利用分野】
本発明は、自動閉止機能を有する引き戸において、開放状態を所定時間保持して閉止方向への急激な動きを防止する引き戸の閉止開始時間調整装置に関する。
【０００２】
【従来の技術】
一般に、病院や老人ホームなどにおいてストレッチャーや車椅子、或いは歩行訓練中の患者などが自動閉止機能を有する引き戸を開放して通過する際には、開放された引き戸は開放を完了した時点で自動閉止機能によって閉止方向への移動を開始するため、ストレッチャーなどが開口部を通過完了する以前に引き戸が衝突してくる危険性を有していたのである。
【０００３】
このため、従来では開放された引き戸を捕捉する機構を開口枠に設け、この捕捉機構によって引き戸の閉止開始時間を遅延させていたものが見受けられたが、従来の捕捉機構は引き戸が衝突することでシリンダー内のピストンを作動させ、油圧若しくは空気圧を利用して引き戸を保持する方式であったため、機構が複雑となって大型化され、コスト高となるものであった。
【０００４】
しかも、従来の方式では引き戸の戸当りと捕捉機構とが別個に構成されているため、戸当りと別個に設置する捕捉機構の位置設定が困難であり、施工作業に手数を要するものであった。
【０００５】
更に、捕捉機構にピストンを用いた油圧方式の場合には、油漏れの恐れがあるため構成部品の精密化、強固さ及び耐油性が要求され、また、エアー方式の場合には、捕捉機構に外気を吸入することから埃や湿気の影響を多分に受け、耐久性に問題を有するばかりでなく、作動時には圧縮された空気の放出音が大きいという欠点を有していた。
【０００６】
【発明が解決しようとする課題】
解決しようとする問題点は、従来の引き戸の閉止開始時間遅延機能を有する捕捉機構は、それ自体が油圧、若しくは空気圧を利用する構造を採用していたため、構造が複雑となって大型化され、高価とならざるを得なかったことであり、また、戸当りとは別個に設置されるため施工作業に手数を要することである。
【０００７】
【課題を解決するための手段】
本発明は、自閉機能を備えた引き戸、若しくは開口枠に取り付けられる係合部材と、この係合部材に対向して開口枠、若しくは引き戸に取り付けられる捕捉機構とからなる閉止開始時間調整装置において、係合部材を、引き戸の走行方向に直交する押圧材とし、捕捉機構を、係合部材の押圧材が係合される溝を有し、引き戸の走行方向に直交する軸によって回転する回転する主歯車と、主歯車の回転が伝達されて回転し、引き戸の閉止方向への移動力を制御するオイルダンパーとを設けた構造としたのである。
【０００８】
捕捉機構が、係合部材の押圧材が係合される溝を有し、引き戸の走行方向に直交する軸によって回転するキャッチャーと、キャッチャーに固定され、キャッチャーと同一軸によって回転する主歯車と、主歯車の回転が伝達されて回転し、引き戸の閉止方向への移動力を制御するオイルダンパーとを設けた構造とするのがよい。
【０００９】
キャッチャーを設けた捕捉機構の適所に、主歯車の引き戸の閉止方向への過度の回転を防止するストッパーを設けること、捕捉機構の主歯車に、引き戸の閉止方向への回転力を付与するスプリングを備える構成であること、また、係合部材が引き戸の走行方向に沿って位置調整自在であり、捕捉機構が上方開口枠に取り付けられる構成であることも当然のように考えられる。
【００１０】
【作用】
而して、本発明の閉止開始時間調整装置は、引き戸の開放により、先ず係合部材が捕捉機構に衝突することにより、係合部材に押された主歯車が回転し、係合部材は捕捉機構に係止されるもので、引き戸の開放状態は係合部材が捕捉機構に係止されて保持される（図５のイからハの状態）。
【００１１】
引き戸の開放が完了した時点で、引き戸は自閉機能によって閉止方向への移動を開始するが、主歯車に噛合して回転するオイルダンパーが引き戸の閉止方向への移動力に抗して緩やかに回転し、主歯車の回転、即ち、引き戸の閉止方向への移動力を制御して所定時間係合部材と捕捉機構との係止状態を維持し、引き戸の閉止開始時間を調整するのである（図５のハからイの状態）。
【００１２】
この際、オイルダンパーは、引き戸の開放方向への移動時、即ち、係合部材と捕捉機構との衝突により、主歯車の回転が開始されるときには制御力が生じないようフリーの状態となり、引き戸の自閉機能による閉止方向への移動力に対してのみ作動するよう設定される。
【００１３】
引き戸の自閉機能による閉止方向への移動力に抗して、オイルダンパーが緩やかに回転することによって主歯車の回転も緩やかとなり、引き戸の閉止開始時間は調整されるが、主歯車の緩やかな回転に伴って引き戸も僅かながら閉止方向へ移動し、遂には係合部材と捕捉機構との係止状態が解除され、引き戸は自閉機能によって閉止方向へ移動するのである。
【００１４】
また、キャッチャーを備えた捕捉機構に、主歯車の引き戸の閉止方向への過度の回転を防止するストッパーを設けることによっては、捕捉機構のキャッチャーの溝を常に係合部材の押圧材に正しく対応させることができるのである。
【００１５】
更に、捕捉機構の主歯車に引き戸の閉止方向への回転力を付与するスプリングを備えることによっては、引き戸の開放方向への移動で閉止方向への回転力を蓄積し、所定時間係合部材と捕捉機構との係止状態を維持している主歯車に引き戸の閉止方向への回転力を促進することができ、係合部材を引き戸の走行方向に沿って位置調整自在とすることで、捕捉機構との接合に際して主歯車の回転度合いの変更が可能となり、引き戸の閉止開始時間を調整することができるのである。
【００１６】
【実施例】
以下図面に基づいて本発明の実施例を説明すると、１は閉止方向へ傾斜したレール２によって自閉する引き戸で、上方後端部近くに係合部材３を取り付けており、この係合部材３に対向する上方の開口枠４にあるレール２に捕捉機構５を取り付けている。
【００１７】
図１ないし４の実施例に示した係合部材３は、引き戸１の走行方向に沿って位置調整自在に取り付けられ、引き戸１の走行方向に直交する押圧材３１とし、これに対向する捕捉機構５は、係合部材３の押圧材３１が係合される溝６を有し、引き戸１の走行方向に直交する軸７によって回転するキャッチャー８と、キャッチャー８に固定され、同一軸７によって回転する主歯車９と、主歯車９に常時噛合された従歯車１０を有し、引き戸１の閉止方向への移動力を制御するオイルダンパー１１とを設けた構成としている。
【００１８】
１２は捕捉機構５の主歯車９に、引き戸１の閉止方向への回転力を付与するスプリングで、主歯車９の過度の回転を制御するストッパー１３を必要に応じて捕捉機構５の適所に取り付けている。
【００１９】
図面の実施例では係合部材３を引き戸１に、捕捉機構５を開口枠４に取り付けたものとしているが、捕捉機構５を引き戸１に、係合部材３を開口枠４に取り付けたものとしてもよく、また、従歯車１０を介してオイルダンパー１１を回転させるものとしているが主歯車９とオイルダンパー１１を直結しても基本的な作用効果に変わりはない。
【００２０】
【発明の効果】
本発明は上記のように、引き戸の開放方向への移動により、係合部材が捕捉機構に係合されて開放状態を維持されるが、自閉機能を備えている引き戸は開放状態から閉止方向への移動を開始するものの、この移動開始はオイルダンパーによって制御され、緩やかな移動となるのであって、係合部材と捕捉機構との係合状態が解除されるまでには充分な時間を設定でき、開口部を安全に通過することができるのである。
【００２１】
また、従来のシリンダー内のピストンを作動させ、油圧若しくは空気圧を利用したものと比較して、全体としての構造を簡単とし、コンパクト化を図れ、故障の確率は低く格別な調整などが不要であり、長期に亘る使用が可能であって安価に提供することができる。
【００２２】
更には、コンパクト化を図れることから、捕捉機構を上方の開口枠に取り付けることができ、機構全体を人目につかないように隠蔽することができ、また、戸当りとして使用することができることから施工作業が簡単である。
【図面の簡単な説明】
【図１】  引き戸の一部省略した正面図。
【図２】  要部の正面図。
【図３】  要部の平面図。
【図４】  要部の側面図。
【図５】  作動状態を示す説明図。
【図６】  他の一例を示す要部の正面図である。
【図７】  同じく他の一例を示す要部の平面図である。
【図８】  同じく他の一例を示す要部の側面図である。
【符号の説明】
１            引き戸
３            係合部材
３１          押圧材
４            開口枠
５            捕捉機構
６            溝
７            軸
８            キャッチャー
９            主歯車
１１          オイルダンパー
【図１】
0003896514.tif 000002
【図２】
0003896514.tif 000003
【図３】
0003896514.tif 000004
【図４】
0003896514.tif 000005
【図５】
0003896514.tif 000006
【図６】
0003896514.tif 000007
【図７】
0003896514.tif 000008
【図８】
0003896514.tif 000009